(57)【特許請求の範囲】
【請求項１】
軸線方向に延びる軸孔を有し、外周面に内燃機関の取付孔に螺合するためのねじ部を具備する筒状のハウジングと、
少なくとも自身の先端部が前記ハウジングの先端から突出した状態で、前記軸孔に挿設されるヒーター部材とを備えるグロープラグであって、
前記ハウジングは、
前記内燃機関の取付孔に前記ねじ部を螺合した際に、前記内燃機関の座面に対して圧接する圧接部と、
前記圧接部及び前記ねじ部間に設けられた筒状の先端側胴部とを有し、
前記先端側胴部の肉厚は、
前記ねじ部のねじ径がＭ１２である場合に１．６ｍｍ以下であり、
前記ねじ部のねじ径がＭ１０、Ｍ９、又は、Ｍ８である場合に０．９ｍｍ以下であり、
前記先端側胴部には、前記軸線方向に沿って延びる凸状又は凹状をなす先端側補強部が、前記ハウジングの周方向に沿って間欠的に複数設けられ、
前記先端側胴部は、内周において前記ヒーター部材を保持する保持部を具備し、
前記先端側補強部は、前記保持部よりも後端側に設けられることを特徴とするグロープラグ。
【請求項２】
前記ハウジングは、
前記ねじ部よりも後端側に設けられ、前記内燃機関への取付時に工具が係合される工具係合部と、
前記工具係合部及び前記ねじ部間に設けられた筒状の後端側胴部とを有し、
前記後端側胴部の肉厚は、
前記ねじ部のねじ径がＭ１２である場合に１．６ｍｍ以下であり、
前記ねじ部のねじ径がＭ１０、Ｍ９、又は、Ｍ８である場合に０．９ｍｍ以下であり、
前記後端側胴部には、前記軸線方向に沿って延びる凸状又は凹状をなす後端側補強部が、前記ハウジングの周方向に沿って間欠的に複数設けられることを特徴とする請求項１に記載のグロープラグ。
【請求項３】
軸線方向に延びる軸孔を有し、外周面に内燃機関の取付孔に螺合するためのねじ部を具備する筒状のハウジングと、
少なくとも自身の先端部が前記ハウジングの先端から突出した状態で、前記軸孔に挿設されるヒーター部材とを備えるグロープラグであって、
前記ハウジングは、
前記ねじ部よりも後端側に設けられ、前記内燃機関への取付時に工具が係合される工具係合部と、
前記工具係合部及び前記ねじ部間に設けられた筒状の後端側胴部とを有し、
前記後端側胴部の肉厚は、
前記ねじ部のねじ径がＭ１２である場合に１．６ｍｍ以下であり、
前記ねじ部のねじ径がＭ１０、Ｍ９、又は、Ｍ８である場合に０．９ｍｍ以下であり、
前記後端側胴部には、前記軸線方向に沿って延びる凸状又は凹状をなす後端側補強部が、前記ハウジングの周方向に沿って間欠的に複数設けられることを特徴とするグロープラグ。
【請求項４】
請求項１乃至３のいずれか１項に記載のグロープラグの製造方法であって、
前記ハウジングを形成するハウジング形成工程を含み、
前記ハウジング形成工程は、板状の金属材に対して深絞り加工を施すことにより、前記ハウジングとなるべき筒状のハウジング中間体を形成する工程を含むことを特徴とするグロープラグの製造方法。
【発明の詳細な説明】
【技術分野】
【０００１】
本発明は、ディーゼルエンジンの予熱などに使用するグロープラグ及びその製造方法に関する。
【背景技術】
【０００２】
ディーゼルエンジン等の内燃機関における始動補助などに用いられるグロープラグは、筒状のハウジングや通電により発熱するヒーター部材等を備えている。また、前記ヒーター部材としては、導電性セラミックからなる発熱素子を有するセラミックヒータや、発熱コイルを有するシースヒータが採用される場合がある。
【０００３】
加えて、ハウジングは、内燃機関に対する取付用のねじ部と、内燃機関への取付時に所定の工具が係合される工具係合部と、内燃機関の取付孔に前記ねじ部を螺合した際に、内燃機関に設けられた座面に対して圧接し、燃焼室内の気密性を確保するための圧接部とを備えている。
【０００４】
また、ねじ部及び圧接部間には、筒状の先端側胴部が設けられ、グロープラグを内燃機関に取付けた状態においては、先端側胴部に対して軸線方向に沿った圧縮力（軸力）が加わる。さらに、ねじ部及び工具係合部間には、筒状の後端側胴部が設けられることがあり、工具を用いてグロープラグを内燃機関に取付ける際に、後端側胴部には周方向に沿った力（ねじり応力）が加えられることとなる（例えば、特許文献１等参照）。
【先行技術文献】
【特許文献】
【０００５】
【特許文献１】特開２００８−８９２３３号公報
【発明の概要】
【発明が解決しようとする課題】
【０００６】
ところで、燃費性能の向上や製造コストの削減を図るという点では、ハウジングを薄肉とし、ハウジングの軽量化を図ることが好ましい。しかしながら、ハウジングを単に薄肉とすると、先端側胴部や後端側胴部の機械的強度が低下してしまうおそれがある。その結果、先端側胴部においては、前記軸力の印加による座屈変形が生じてしまい、後端側胴部においては、前記ねじり応力によるねじれ変形が生じてしまうおそれがある。
【０００７】
本発明は、上記事情を鑑みてなされたものであり、その目的は、ハウジングを比較的薄肉とした場合であっても、先端側胴部や後端側胴部の変形をより確実に防止することができるグロープラグ及びその製造方法を提供することにある。
【課題を解決するための手段】
【０００８】
以下、上記目的を解決するのに適した各構成につき、項分けして説明する。なお、必要に応じて対応する構成に特有の作用効果を付記する。
【０００９】
構成１．本構成のグロープラグは、軸線方向に延びる軸孔を有し、外周面に内燃機関の取付孔に螺合するためのねじ部を具備する筒状のハウジングと、
少なくとも自身の先端部が前記ハウジングの先端から突出した状態で、前記軸孔に挿設されるヒーター部材とを備えるグロープラグであって、
前記ハウジングは、
前記内燃機関の取付孔に前記ねじ部を螺合した際に、前記内燃機関の座面に対して圧接する圧接部と、
前記圧接部及び前記ねじ部間に設けられた筒状の先端側胴部とを有し、
前記先端側胴部の肉厚は、
前記ねじ部のねじ径がＭ１２である場合に１．６ｍｍ以下であり、
前記ねじ部のねじ径がＭ１０、Ｍ９、又は、Ｍ８である場合に０．９ｍｍ以下であり、
前記先端側胴部には、前記軸線方向に沿って延びる凸状又は凹状をなす先端側補強部が、前記ハウジングの周方向に沿って間欠的に複数設けられ、
前記先端側胴部は、内周において前記ヒーター部材を保持する保持部を具備し、
前記先端側補強部は、前記保持部よりも後端側に設けられることを特徴とする。
【００１０】
尚、「軸線方向に沿って延びる」とあるのは、厳密に先端側補強部が軸線方向に沿って延びる場合のみならず、先端側補強部が軸線に対して若干（例えば、筒状の先端側胴部を平面に展開したとき、展開された先端側胴部における先端側補強部の延出方向と、軸線とのなす角度のうち鋭角の角度が５°以下となる程度）だけ斜めになっている場合も含む。
【００１１】
上記構成１によれば、先端側胴部の肉厚が、ねじ部のねじ径がＭ１２である場合に１．６ｍｍ以下とされ、ねじ部のねじ径がＭ１０、Ｍ９、又は、Ｍ８である場合に０．９ｍｍ以下とされている。従って、先端側胴部ひいてはハウジングの軽量化を図ることができる。その結果、燃費性能の向上や製造コストの削減を図ることができる。
【００１２】
一方で、上述のように先端側胴部を薄肉とした場合には、軸力による先端側胴部の座屈変形が懸念される。この点、上記構成１によれば、先端側胴部には、軸線方向に沿って延びる凸状又は凹状をなす先端側補強部が、ハウジングの周方向に沿って間欠的に複数設けられている。従って、先端側胴部の機械的強度を著しく高めることができる。その結果、前記軸力による先端側胴部の変形をより確実に防止することができる。
さらに、上記構成１によれば、先端側補強部は、ヒーター部材を保持する保持部よりも後端側に設けられている。すなわち、先端側補強部は、保持部から外れた位置に設けられている。従って、ヒーター部材に対して保持部の内周をより確実に密着させることができ、両者間において優れた気密性を確保することができる。その結果、燃焼室内において良好な気密性を確保することができる。
【００１３】
構成２．本構成のグロープラグは、上記構成１において、前記ハウジングは、
前記ねじ部よりも後端側に設けられ、前記内燃機関への取付時に工具が係合される工具係合部と、
前記工具係合部及び前記ねじ部間に設けられた筒状の後端側胴部とを有し、
前記後端側胴部の肉厚は、
前記ねじ部のねじ径がＭ１２である場合に１．６ｍｍ以下であり、
前記ねじ部のねじ径がＭ１０、Ｍ９、又は、Ｍ８である場合に０．９ｍｍ以下であり、
前記後端側胴部には、前記軸線方向に沿って延びる凸状又は凹状をなす後端側補強部が、前記ハウジングの周方向に沿って間欠的に複数設けられることを特徴とする。
【００１４】
尚、「軸線方向に沿って延びる」とあるのは、厳密に後端側補強部が軸線方向に沿って延びる場合のみならず、後端側補強部が軸線に対して若干（例えば、筒状の後端側胴部を平面に展開したとき、展開された後端側胴部における後端側補強部の延出方向と、軸線とのなす角度のうち鋭角の角度が５°以下となる程度）だけ斜めになっている場合も含む（後述する構成４においても同様）。
【００１５】
上記構成２によれば、後端側胴部の肉厚が、ねじ部のねじ径がＭ１２である場合に１．６ｍｍ以下とされ、ねじ部のねじ径がＭ１０、Ｍ９、又は、Ｍ８である場合に０．９ｍｍ以下とされている。従って、後端側胴部の軽量化を図ることができ、上記構成１により先端側胴部の軽量化が図られることと相俟って、ハウジングを一層軽量とすることができる。その結果、燃費性能の向上や製造コストの削減をより効果的に実現することができる。
【００１６】
一方で、後端側胴部が薄肉である場合には、ねじり応力による後端側胴部のねじれ変形が懸念される。この点、上記構成２によれば、後端側胴部には、軸線方向に沿って延びる凸状又は凹状をなす後端側補強部が、ハウジングの周方向に沿って間欠的に複数設けられている。従って、後端側胴部の機械的強度を顕著に高めることができ、後端側胴部は、前記ねじり応力に抗する十分なねじり耐力を有するものとなる。その結果、前記ねじり応力による後端側胴部の変形をより確実に防止することができる。
【００１９】
構成３．本構成のグロープラグは、軸線方向に延びる軸孔を有し、外周面に内燃機関の取付孔に螺合するためのねじ部を具備する筒状のハウジングと、
少なくとも自身の先端部が前記ハウジングの先端から突出した状態で、前記軸孔に挿設されるヒーター部材とを備えるグロープラグであって、
前記ハウジングは、
前記ねじ部よりも後端側に設けられ、前記内燃機関への取付時に工具が係合される工具係合部と、
前記工具係合部及び前記ねじ部間に設けられた筒状の後端側胴部とを有し、
前記後端側胴部の肉厚は、
前記ねじ部のねじ径がＭ１２である場合に１．６ｍｍ以下であり、
前記ねじ部のねじ径がＭ１０、Ｍ９、又は、Ｍ８である場合に０．９ｍｍ以下であり、
前記後端側胴部には、前記軸線方向に沿って延びる凸状又は凹状をなす後端側補強部が、前記ハウジングの周方向に沿って間欠的に複数設けられることを特徴とする。
【００２０】
上記構成３によれば、後端側胴部の肉厚が、ねじ部のねじ径がＭ１２である場合に１．６ｍｍ以下とされ、ねじ部のねじ径がＭ１０、Ｍ９、又は、Ｍ８である場合に０．９ｍｍ以下とされている。従って、後端側胴部ひいてはハウジングの軽量化を図ることができる。その結果、燃費性能の向上や製造コストの削減を図ることができる。
【００２１】
さらに、上記構成３によれば、後端側胴部には、軸線方向に沿って延びる凸状又は凹状をなす後端側補強部が、ハウジングの周方向に沿って間欠的に複数設けられている。従って、後端側胴部の機械的強度を顕著に高めることができ、ねじり応力による後端側胴部の変形をより確実に防止することができる。
【００２２】
構成４．本構成のグロープラグの製造方法は、上記構成１乃至３のいずれかに記載のグロープラグの製造方法であって、
前記ハウジングを形成するハウジング形成工程を含み、
前記ハウジング形成工程は、板状の金属材に対して深絞り加工を施すことにより、前記ハウジングとなるべき筒状のハウジング中間体を形成する工程を含むことを特徴とする。
【００２３】
上記構成４によれば、深絞り加工より、ハウジングとなるべきハウジング中間体が製造されるように構成されている。従って、全体的に薄肉とされた軽量のハウジングをより容易に製造することができ、生産性の向上を図ることができる。
【００２４】
また、ハウジングを全体的に薄肉とできるため、ハウジングの一層の軽量化を図ることができる。その結果、燃費性能の向上や製造コストの削減等の作用効果をさらに高めることができる。
【図面の簡単な説明】
【００２５】
【図１】グロープラグの正面図である。
【図２】グロープラグの一部破断正面図である。
【図３】（ａ）は、金属材の斜視図であり、（ｂ）〜（ｄ）は、深絞り加工による金属材の形状変化の遷移を示す正面図であり、（ｅ）は、ハウジング中間体を示す正面図である。
【図４】（ａ）は、工具係合部を形成する際に用いられるダイスやパンチを示す一部破断正面図であり、（ｂ）は、ハウジング中間体が配置されたダイス等を示す一部破断正面図である。
【図５】（ａ）は、工具係合部の形成工程の一過程を示す一部破断正面図であり、（ｂ）は、工具係合部が形成されたハウジング中間体を示す正面図である。
【図６】別の実施形態における、グロープラグの構成を示す正面図である。
【図７】別の実施形態における、グロープラグの構成を示す正面図である。
【図８】別の実施形態における、グロープラグの構成を示す一部破断正面図である。
【発明を実施するための形態】
【００２６】
以下に、一実施形態について図面を参照しつつ説明する。図１は、グロープラグ１の正面図であり、図２は、グロープラグ１の一部破断正面図である。尚、図１等では、グロープラグ１の軸線ＣＬ１方向を図面における上下方向とし、下側をグロープラグ１の先端側、上側を後端側として説明する。
【００２７】
図１及び図２に示すように、グロープラグ１は、筒状のハウジング２と、ハウジング２に装着されたヒーター部材３とを備えている。
【００２８】
ハウジング２は、所定の金属（例えば、炭素鋼やステンレス鋼など）により形成されており、軸線ＣＬ１方向に貫通する軸孔４を有している。また、ハウジング２の外周面には、ディーゼルエンジン等の内燃機関の取付孔へと螺合するためのねじ部５と、内燃機関への取付時にトルクレンチ等の工具を係合させるための断面六角形状の工具係合部６とが形成されている。尚、本実施形態において、ねじ部５のねじ径はＭ１２とされている。また、工具係合部６の内周は、工具係合部６の外周形状に倣う断面六角形状とされている。
【００２９】
さらに、ハウジング２は、その先端部に、前記取付孔にねじ部５を螺合した際に、前記内燃機関の座面（図示せず）に対して圧接する圧接部７を備えている。当該圧接部７が前記座面に圧接することで、燃焼室において良好な気密性を確保することができる。
【００３０】
加えて、ハウジング２は、ねじ部５及び工具係合部６間に位置する筒状の後端側胴部８と、圧接部７及びねじ部５間に位置する筒状の先端側胴部９とを備えている。また、先端側胴部９は、軸孔４で最小の内径を有するとともに、内周面が全周に亘ってヒーター部材３に密着した状態で前記ヒーター部材３を保持する保持部２０を具備している。本実施形態において、前記ヒーター部材３は、自身の先端部がハウジング２の先端から突出した状態で前記保持部２０に圧入されることにより、ハウジング２に対して固定されている。また、本実施形態において、保持部２０は、先端側胴部９における最小の外径を有するように構成されている。
【００３１】
さらに、本実施形態において、ハウジング２は全体的に薄肉で、かつ、ほぼ均一の肉厚を有するように構成されている。そして、後端側胴部８の肉厚及び先端側胴部９の肉厚は、それぞれ１．６ｍｍ以下とされている。尚、ねじ部５のねじ径がＭ８、Ｍ９、又は、Ｍ１０である場合、後端側胴部８の肉厚及び先端側胴部９の肉厚はそれぞれ０．９ｍｍ以下とされる。但し、後端側胴部８や先端側胴部９の強度が過度に低下してしまうことを防止すべく、後端側胴部８や先端側胴部９の肉厚を所定値（例えば、０．２ｍｍ）以上とすることが好ましい。
【００３２】
ヒーター部材３は、チューブ１０と、当該チューブ１０の内部に配置される発熱コイル１２及び制御コイル１３とを備えており、所定の金属（例えば、鉄系合金など）からなる中軸１１と直列的に接続されている。
【００３３】
チューブ１０は、鉄（Ｆｅ）又はニッケル（Ｎｉ）を主成分とする金属〔例えば、ニッケル基合金やステンレス合金等〕から形成され、先端部が閉じた筒状チューブである。また、当該チューブ１０の内側には、自身の先端部がチューブ１０の先端に接合された発熱コイル１２と、当該発熱コイル１２の後端部に対して直列接続された制御コイル１３とが酸化マグネシウム粉末を含む絶縁粉末１４とともに封入されている。尚、発熱コイル１２は、その先端においてチューブ１０と導通しているが、発熱コイル１２及び制御コイル１３の外周面とチューブ１０の内周面とは、絶縁粉末１４の介在により絶縁された状態となっている。
【００３４】
さらに、前記チューブ１０の後端側内周と中軸１１との間には、所定のゴム（例えば、シリコーンゴムやフッ素ゴム等）からなる環状ゴム１５が設けられており、チューブ１０内は封止されている。
【００３５】
前記発熱コイル１２は、所定の金属（例えば、Ｆｅを主成分とし、ＡｌやＣｒ等を含む合金など）からなる抵抗発熱線が螺旋状に巻回されることで構成されている。発熱コイル１２は、中軸１１を介して通電されることで発熱する。
【００３６】
また、制御コイル１３は、発熱コイル１２の材質よりも電気比抵抗の温度係数が大きい材質、例えばコバルト（Ｃｏ）−Ｎｉ−Ｆｅ系合金等に代表されるＣｏ又はＮｉを主成分とする抵抗発熱線により構成されている。これにより、制御コイル１３は、自身の発熱及び発熱コイル１２からの発熱を受けることにより電気抵抗値を増大させ、発熱コイル１２に対する供給電力を制御する。具体的には、通電初期においては発熱コイル１２に対して比較的大きな電力が供給され、発熱コイル１２の温度は急速に上昇する。すると、その発熱により制御コイル１３が加熱され、制御コイル１３の電気抵抗値が増大し、発熱コイル１２への供給電力が減少する。これにより、ヒーター部材３の昇温特性は、通電初期に急速昇温した後、以降は制御コイル１３の働きにより供給電力が抑制されて温度が飽和する形となる。つまり、制御コイル１３の存在により、急速昇温性を高めつつ、発熱コイル１２の過昇温（オーバーシュート）が生じにくくなるように構成されている。
【００３７】
中軸１１は、中実の棒状をなし、自身の先端部がチューブ１０内に挿入されている。そして、中軸１１の最先端部が、前記制御コイル１３の後端部に挿通された状態で、中軸１１及び制御コイル１３が抵抗溶接されることにより、中軸１１及び制御コイル１３が接続されている。
【００３８】
さらに、中軸１１の後端部には、有底筒状をなすケーブル接続用の端子ピン１７が加締め固定されている。また、端子ピン１７の先端部とハウジング２の後端部との間には、両者間における直接的な通電（短絡）を防止すべく、絶縁性素材からなる絶縁ブッシュ１８が設けられている。加えて、軸孔４内の気密性の向上等を図るべく、ハウジング２及び中軸１１の間には、絶縁ブッシュ１８の先端部に接触するようにして絶縁性素材からなる環状のシール部材１９が設けられている。
【００３９】
ところで、本実施形態では、上述の通り、後端側胴部８の肉厚が１．６ｍｍ以下又は０．９ｍｍ以下とされている。そのため、グロープラグ１を内燃機関に取付ける際において、工具係合部６に対して周方向に沿った力が加えられたときに、後端側胴部８においてねじれ変形が生じてしまうおそれがある。また、先端側胴部９の肉厚が１．６ｍｍ以下又は０．９ｍｍ以下とされているため、内燃機関に対するグロープラグ１（ハウジング２）の取付に伴い、先端側胴部９に軸力が加えられたときに、先端側胴部９において座屈変形が生じてしまうおそれがある。
【００４０】
この点を考慮して、本実施形態では、後端側胴部８及び先端側胴部９の変形を防止すべく、後端側胴部８及び先端側胴部９が、それぞれ次のように構成されている。
【００４１】
すなわち、先端側胴部９には、軸線ＣＬ１方向に沿って延びる凸状をなす先端側補強部９Ａが、ハウジング２の周方向に沿って間欠的に複数（本実施形態では、等間隔に１２本）設けられている。また、先端側補強部９Ａの高さは、先端側補強部９Ａの数に対応して設定されており、本実施形態では、０．１ｍｍ以上とされている。さらに、軸線ＣＬ１に沿った先端側補強部９Ａの長さは、所定値（例えば、軸線ＣＬ１に沿った先端側胴部９の長さの３０％）以上とされている。
【００４２】
加えて、後端側胴部８には、軸線ＣＬ１方向に沿って延びる凸状をなす後端側補強部８Ａが、ハウジング２の周方向に沿って間欠的に複数（本実施形態では、等間隔に１２本）設けられている。尚、後端側補強部８Ａの高さは、後端側補強部８Ａの数に対応して設定されており、本実施形態では、０．１ｍｍ以上とされている。また、軸線ＣＬ１に沿った後端側補強部８Ａの長さは、所定値（例えば、軸線ＣＬ１に沿った後端側胴部８の長さの３０％）以上とされている。
【００４３】
さらに、本実施形態において、先端側補強部９Ａは、前記保持部２０よりも後端側に設けられており、保持部２０へと先端側補強部９Ａが至らないように構成されている。
【００４４】
次に上記のように構成されてなるグロープラグ１の製造方法について説明する。尚、特に明記しない部位については、従来公知の方法が採用される。
【００４５】
まず、Ｆｅを主成分とし、ＣｒやＡｌを含有する抵抗発熱線をコイル形状に加工し、発熱コイル１２を得る。また、アーク溶接等によって、発熱コイル１２の後端部分と、Ｃｏ−Ｎｉ−Ｆｅ系合金等の抵抗発熱線をコイル形状に加工した制御コイル１３の先端部分とを接合する。
【００４６】
次に、最終寸法より加工代分だけ大径に形成され、かつ、先端の閉じていない筒状のチューブ１０内に、中軸１１の先端と、当該中軸１１と一体となった発熱コイル１２及び制御コイル１３とが配置される。そして、アーク溶接によって、チューブ１０の先端部分を閉塞させるとともに、当該チューブ１０の先端部分と発熱コイル１２の先端部分とを接合する。
【００４７】
その後、チューブ１０内に絶縁粉末１４を充填した後、チューブ１０にスウェージング加工を施すことで、チューブ１０及び中軸１１と一体とされたヒーター部材３が得られる。
【００４８】
次いで、ハウジング形成工程において、ハウジング２を製造する。まず、図３（ａ）に示すように、所定の鉄系素材からなる円板状の金属材ＭＢを用意するとともに、当該金属材ＭＢに対して深絞り加工を施し、ハウジング２となるべき筒状のハウジング中間体を得る。具体的には、外径が徐々に小さくなる複数の棒状のパンチ（図示せず）と、各パンチの外径に対応する内径を有する複数の有底筒状をなすダイス（図示せず）とがそれぞれ並んで取付けられたトランスファープレス（図示せず）に、前記金属材ＭＢを供給する。そして、前記パンチ及び前記ダイスを用いて、前記金属材ＭＢに対して多段階に亘ってプレス加工を施すことで、図３（ｂ）〜（ｄ）に示すように、金属材ＭＢを筒状に形成するとともに、筒状部分の深さを徐々に増大させていく。そして最後に、金属材ＭＢの両端部を切除することで、図３（ｅ）に示すように、工具係合部６に対応する比較的大径の係合部対応部３２を一端部に有する筒状のハウジング中間体３１が得られる。尚、ハウジング中間体３１のうち係合部対応部３２よりも先端側の部位は、ハウジング２の最終寸法よりも若干大径に形成されている。
【００４９】
次いで、図４（ａ）に示すように、工具係合部６の外周形状に対応する形状の外周成形部ＯＭを内周に有するダイスＤ１と、上下動可能なパンチＰ１とを用いて、工具係合部６を形成する。詳述すると、まず、図４（ｂ）に示すように、ダイスＤ１の内周にハウジング中間体３１を配置する。その上で、図５（ａ）に示すように、パンチＰ１を下動させてパンチＰ１により係合部対応部３２をダイスＤ１の外周成形部ＯＭに押込む。これにより、係合部対応部３２の外周及び内周の双方が断面六角形状に成形され、図５（ｂ）に示すように、工具係合部６が形成される。
【００５０】
次いで、ハウジング中間体３１の先端側外周に径方向内側に向けてプレスを加えることで、前記先端側胴部９に対応する部位を変形させ、前記保持部２０を形成する。
【００５１】
また、ハウジング中間体３１に対して、先端側補強部９Ａの内周形状に対応する凸部を外周に有する棒状のパンチ（図示せず）を挿通した上で、先端側補強部９Ａの外周形状に対応する凹部を内周に有するダイス（図示せず）に対してハウジング中間体３１を押込むことにより、先端側補強部９Ａを形成する。さらに、ハウジング中間体３１に対して、後端側補強部８Ａの内周形状に対応する凸部を外周に有する棒状のパンチ（図示せず）を挿通した上で、後端側補強部８Ａの外周形状に対応する凹部を内周に有するダイス（図示せず）に対してハウジング中間体３１を押込むことにより、後端側補強部８Ａを形成する。尚、後端側補強部８Ａや先端側補強部９Ａを、上記以外の手法により形成してもよい。
【００５２】
次に、転造加工により、ハウジング中間体３１の所定部位にねじ部５を形成する。さらに、ハウジング中間体３１の先端部にプレス加工を施し、ハウジング中間体３１の先端部に圧接部７を形成することで、ハウジング２が得られる。
【００５３】
そして最後に、ヒーター部材３をハウジング２の保持部２０に圧入するとともに、前記絶縁ブッシュ１８やシール部材１９を中軸１１の後端部外周に配置した上で、中軸１１の後端部に端子ピン１７を加締め固定することにより、上述のグロープラグ１が得られる。
【００５４】
以上詳述したように、本実施形態によれば、先端側胴部９及び後端側胴部８の肉厚が、ねじ部５のねじ径がＭ１２である場合に１．６ｍｍ以下とされ、ねじ部５のねじ径がＭ１０、Ｍ９、又は、Ｍ８である場合に０．９ｍｍ以下とされている。従って、ハウジング２の軽量化を効果的に図ることができる。その結果、燃費性能の向上や製造コストの削減を図ることができる。
【００５５】
一方で、上述のように先端側胴部９や後端側胴部８を薄肉とした場合には、軸力による先端側胴部９の変形や、ねじり応力による後端側胴部８の変形が懸念される。この点、本実施形態では、先端側胴部９には、先端側補強部９Ａが複数設けられ、後端側胴部８には、後端側補強部８Ａが複数設けられている。従って、先端側胴部９及び後端側胴部８のそれぞれにおいて機械的強度を著しく高めることができる。その結果、前記軸力による先端側胴部９の変形や、前記ねじり応力による後端側胴部８の変形をより確実に防止することができる。
【００５６】
また、本実施形態では、先端側補強部９Ａが、ヒーター部材３を保持する保持部２０よりも後端側に設けられている。従って、ヒーター部材３に対して保持部２０の内周面をより確実に密着させることができ、両者間において優れた気密性を確保することができる。その結果、燃焼室内において良好な気密性を確保することができる。
【００５７】
加えて、ハウジング２が全体的に薄肉とされているため、ハウジング２の一層の軽量化を図ることができる。その結果、燃費性能の向上や製造コストの削減等の作用効果をさらに高めることができる。
【００５８】
また、本実施形態において、保持部２０は、先端側胴部９における最小の外径を有するように構成されている。従って、内燃機関に対するグロープラグ１の取付に伴い、先端側胴部９に対して軸力が加わった際には、ヒーター部材３側に向けて軸力が分解されることとなる。そのため、本実施形態のように、ハウジング２（先端側胴部９）が薄肉とされていても、保持部２０によるヒーター部材３の保持力が低下してしまうことをより確実に防止できる。
【００５９】
さらに、深絞り加工より、ハウジング２となるべきハウジング中間体３１が製造されるように構成されている。従って、全体的に薄肉とされた軽量のハウジング２をより容易に製造することができ、生産性の向上を図ることができる。
【００６０】
尚、上記実施形態の記載内容に限定されず、例えば次のように実施してもよい。勿論、以下において例示しない他の応用例、変更例も当然可能である。
【００６１】
（ａ）上記実施形態において、ハウジング２は、先端側補強部９Ａ及び後端側補強部８Ａの双方を具備するように構成されている。これに対して、図６及び図７に示すように、ハウジング２が、先端側補強部９Ａ及び後端側補強部８Ａのうちの一方のみを具備するように構成してもよい。
【００６２】
（ｂ）上記実施形態において、先端側補強部９Ａ及び後端側補強部８Ａは、凸状をなすように構成されているが、先端側補強部９Ａや後端側補強部８Ａが凹状（溝状）をなすように構成してもよい。また、凸状の先端側補強部と凹状の先端側補強部とが混在するように構成してもよいし、凸状の後端側補強部と凹状の後端側補強部とが混在するように構成してもよいし、
（ｃ）上記実施形態における、先端側補強部９Ａや後端側補強部８Ａの数は例示であって、先端側補強部９Ａや後端側補強部８Ａの数は種々変更してもよい。また、先端側補強部９Ａや後端側補強部８Ａの数に応じて、先端側補強部９Ａや後端側補強部８Ａの高さ（先端側補強部９Ａ等を凹状とする場合には、先端側補強部９Ａ等の深さ）を変更してもよい。従って、例えば、先端側補強部９Ａや後端側補強部８Ａを、ハウジング２の周方向に沿って等間隔に４つ設けた場合には、先端側補強部９Ａや後端側補強部８Ａの高さ（深さ）を０．２ｍｍ以上としてもよい。
【００６３】
（ｄ）上記実施形態では、工具係合部６及びねじ部５間に後端側胴部８が設けられているが、工具係合部６とねじ部５とが隣接するように構成し、後端側胴部を省略してもよい。
【００６４】
（ｅ）上記実施形態では、発熱コイル１２の過昇温を防止すべく、発熱コイル１２及び中軸１１間に制御コイル１３が介在されているが、発熱コイル１２に中軸１１を直接接触させ、制御コイル１３を省略してもよい。
【００６５】
（ｆ）上記実施形態において、ヒーター部材３は、チューブ１０と当該チューブ１０の内部に配置された発熱コイル１２等により構成されており、本発明の技術思想が、いわゆるメタルグロープラグに対して適用されている。これに対して、ヒーター部材を、絶縁性セラミックからなる筒状の基体と、当該基体内に設けられるとともに、導電性セラミックにより形成され、中軸１１からの通電により発熱する発熱素子とにより構成し、本発明の技術思想を、いわゆるセラミックグロープラグに対して適用してもよい。また、この場合には、基体の外表面に発熱素子となる導電性の被膜が設けられてなるヒーター部材（いわゆる表面発熱タイプのヒーター）を用いてもよい。さらに、発熱素子の少なくとも一部を耐熱性に優れる導電性金属（例えば、タングステンを主成分とする合金等）により形成することとしてもよい。
【００６６】
（ｇ）上記実施形態において、グロープラグ１の後端部（ケーブルの接続部分）は、中軸１１の後端部に対して端子ピン１７が加締め固定される構成とされているが、グロープラグ１の後端部の構成はこれに限定されるものではない。従って、例えば、中軸１１のうちハウジング２の後端から突出する部位の外周に雄ねじを設けるとともに、内周に雌ねじを有するナットを、絶縁ブッシュ１８に接触した状態で前記雄ねじに螺合し、ナットから前記中軸の後端部が突出するように構成してもよい。すなわち、中軸の後端部がケーブルの接続箇所となるように構成してもよい。
【００６７】
（ｈ）上記実施形態において、中軸１１は中実の棒状をなしているが、図８に示すように、中軸１１の内部に中空部２２を設け、中軸１１を筒状としてもよい。この場合には、グロープラグ１のより一層の軽量化を図ることができ、燃費性能の更なる向上を図ることができる。また、中軸１１によりヒーター部材３（発熱コイル１２）から引かれる熱を低減することができるため、ヒーター部材３（発熱コイル１２）を速やかに所定温度に到達させることができるとともに、ヒーター部材３を所定温度に到達させるために必要な電力を少なくすることができる。さらに、中軸１１により制御コイル１３の熱が引かれてしまうことを効果的に防止でき、制御コイル１３の温度ひいては抵抗値を速やかに増大させることができる。その結果、制御コイル１３の本来的な機能を速やかに発揮させることができるとともに、更なる省電力化を図ることができる。
【００６８】
（ｉ）上記実施形態では、深絞り加工によりハウジング中間体３１が形成されているが、ハウジング中間体３１の製造手法は、これに限定されるものではない。従って、例えば、所定の金属材料に対して鍛造加工を施すことにより、ハウジング中間体を得ることとしてもよい。
【００６９】
（ｊ）上記実施形態において、ハウジング２は全体的にほぼ均一の肉厚を有するように構成されているが、ハウジング２の肉厚を局所的に増減させることとしてもよい。従って、例えば、保持部２０を先端側胴部９の他の部位よりも厚肉とし、厚肉に形成された保持部２０によりヒーター部材３を保持してもよい。
【００７０】
（ｋ）上記実施形態において、工具係合部６は断面六角形状とされているが、工具係合部６の形状は、このような形状に限定されるものではない。従って例えば、工具係合部６を、Ｂｉ−ＨＥＸ（変形１２角）形状〔ＩＳＯ２２９７７：２００５（Ｅ）〕等としてもよい。
【００７１】
（ｌ）ヒーター部材３の形状は特に限定されるものではなく、例えば、断面楕円形状や断面長円形状、断面多角形状であってもよい。また、ヒーター部材として、絶縁性の基体を板状に複数形成して、その間に発熱体を挟み込んだいわゆる板状ヒーターを用いることとしてもよい。
【００７２】
（ｍ）上記実施形態における発熱コイル１２や制御コイル１３の構成材料は例示であって、発熱コイル１２等の構成材料は特に限定されるものではない。
【符号の説明】
【００７３】
１…グロープラグ、２…ハウジング、３…ヒーター部材、４…軸孔、５…ねじ部、６…工具係合部、７…圧接部、８…後端側胴部、８Ａ…後端側補強部、９…先端側胴部、９Ａ…先端側補強部、２０…保持部、３１…ハウジング中間体、ＣＬ１…軸線、ＭＢ…金属材。
【図１】
0005965182.tif 000002
【図２】
0005965182.tif 000003
【図３】
0005965182.tif 000004
【図４】
0005965182.tif 000005
【図５】
0005965182.tif 000006
【図６】
0005965182.tif 000007
【図７】
0005965182.tif 000008
【図８】
0005965182.tif 000009